(57)【要約】【課題】照明システムのペアリング作業における作業効率を向上する。【解決手段】照明システム１００は、複数の照明器具１０と、複数の照明器具１０と通信する１以上の照明コントローラ２０と、複数の照明器具１０および１以上の照明コントローラ２０の不具合有無を確認させる確認通知を出力する制御部３０ｃと、制御部３０ｃから出力された確認通知を表示する表示部３０ｄとを備える。制御部３０ｃは、複数の照明器具１０と１以上の照明コントローラ２０とのペアリングが行われる前に、複数の照明器具１０および１以上の照明コントローラ２０の電源に関する確認通知を出力し、電源に関する確認通知を出力した後であってペアリングが行われる前に、複数の照明器具１０および１以上の照明コントローラ２０の通信に関する確認通知を出力する。【選択図】図４
2019040776.tif 000002
【特許請求の範囲】
【請求項１】
複数の照明器具と、
前記複数の照明器具と通信する１以上の照明コントローラと、
前記複数の照明器具および前記１以上の照明コントローラの不具合有無を確認させる確認通知を出力する制御部と、
前記制御部から出力された前記確認通知を表示する表示部と
を備え、
前記制御部は、前記複数の照明器具と前記１以上の照明コントローラとのペアリングが行われる前に、前記複数の照明器具および前記１以上の照明コントローラの電源に関する確認通知を出力し、前記電源に関する確認通知を出力した後であって前記ペアリングが行われる前に、前記複数の照明器具および前記１以上の照明コントローラの通信に関する確認通知を出力する
照明システム。
【請求項２】
さらに、前記電源に関する確認通知に対する確認結果、および、前記通信に関する確認通知に対する確認結果を受け付ける入力部を備え、
前記制御部は、前記入力部を介して、前記確認結果のそれぞれを取得する
請求項１に記載の照明システム。
【請求項３】
前記制御部は、前記電源に関する確認通知に対する確認結果として、前記複数の照明器具および前記１以上の照明コントローラのうち非通電状態の照明器具または照明コントローラが存在する確認結果を取得した場合に、前記非通電状態の照明器具または照明コントローラの電源線の配線経路を確認させる確認通知を出力する
請求項２に記載の照明システム。
【請求項４】
前記制御部は、前記電源線の配線経路の確認通知に対する確認結果として、前記電源線の配線経路に異常がない確認結果を取得した場合に、前記非通電状態の照明器具または照明コントローラを、前記ペアリングの対象から外すか否かを確認させる確認通知を出力する
請求項３に記載の照明システム。
【請求項５】
前記制御部は、前記ペアリングの対象から外すか否かの確認通知に対する確認結果として、前記非通電状態の照明器具または照明コントローラを前記ペアリングの対象から外す確認結果を取得した場合に、当該照明器具または当該照明コントローラを前記ペアリングの対象から外す
請求項４に記載の照明システム。
【請求項６】
さらに、前記複数の照明器具および前記１以上の照明コントローラのそれぞれと無線通信する端末装置を備え、
前記端末装置は、前記制御部、前記表示部および前記入力部を備える
請求項２〜５のいずれか１項に記載の照明システム。
【請求項７】
前記制御部は、前記電源に関する確認通知に対する確認結果として、前記１以上の照明コントローラのうち通電状態の照明コントローラが存在する確認結果を取得した場合に、前記通電状態の照明コントローラと前記端末装置との第１の通信可否を確認させる確認通知を出力する
請求項６に記載の照明システム。
【請求項８】
前記制御部は、前記第１の通信可否の確認通知に対する確認結果として、不通信である照明コントローラが存在する確認結果を取得した場合に、前記不通信である照明コントローラの通信経路を確認させる確認通知を出力する
請求項７に記載の照明システム。
【請求項９】
前記制御部は、前記通信経路の確認通知に対する確認結果として、前記不通信である照明コントローラの通信経路に異常がない確認結果を取得した場合に、前記不通信である照明コントローラを、前記ペアリングの対象から外すか否かを確認させる確認通知を出力する
請求項８に記載の照明システム。
【請求項１０】
前記制御部は、前記不通信である照明コントローラを前記ペアリングの対象から外すか否の確認通知に対する確認結果として、当該照明コントローラを前記ペアリングの対象から外す確認結果を取得した場合に、当該照明コントローラを前記ペアリングの対象から外す
請求項９に記載の照明システム。
【請求項１１】
前記制御部は、前記第１の通信可否の確認通知に対する確認結果として、前記端末装置と少なくとも１つの前記照明コントローラとが通信可能である確認結果を取得した場合に、少なくとも１つの前記照明コントローラと前記複数の照明器具との第２の通信可否を確認させる確認通知を出力する
請求項７〜１０のいずれか１項に記載の照明システム。
【請求項１２】
前記制御部は、前記第２の通信可否の確認通知に対する確認結果として、前記複数の照明器具のうち不通信である照明器具が存在する確認結果を取得した場合に、前記不通信である照明器具を前記ペアリングの対象から外すか否かを確認させる確認通知を出力する
請求項１１に記載の照明システム。
【請求項１３】
前記制御部は、前記不通信である照明器具を前記ペアリングの対象から外すか否かの確認通知に対する確認結果として、当該照明器具をペアリングの対象から外す確認結果を取得した場合に、当該照明器具を前記ペアリングの対象から外す
請求項１２に記載の照明システム。
【請求項１４】
前記制御部は、前記第２の通信可否の確認通知に対する確認結果として、前記照明コントローラおよび前記照明器具を１組とする少なくとも１組の照明コントローラおよび照明器具が通信可能である確認結果を取得した場合に、当該少なくとも１組の照明コントローラおよび照明器具をペアリングさせる通知を出力する
請求項１１〜１３のいずれか１項に記載の照明システム。
【請求項１５】
前記制御部は、前記不通信である照明器具を前記ペアリングの対象から外すか否かの確認通知の確認結果として、当該照明器具を前記ペアリングの対象から外す確認結果を取得した場合に、当該照明器具と前記端末装置との第３の通信可否を確認させる確認通知を出力する
請求項１３に記載の照明システム。
【請求項１６】
前記制御部は、前記第３の通信可否の確認通知に対する確認結果として、当該照明器具と前記端末装置とが通信可能である確認結果を取得した場合に、当該照明器具と前記照明コントローラとの通信経路を確認させる確認通知を出力する
請求項１５に記載の照明システム。
【請求項１７】
前記制御部は、前記第３の通信可否の確認通知に対する確認結果として、当該照明器具と前記端末装置とが通信不可である確認結果を取得した場合に、当該照明器具を修理または交換させる通知を出力する
請求項１５に記載の照明システム。
【請求項１８】
照明器具と照明コントローラとのペアリングを実行させる端末装置であって、
複数の前記照明器具および１以上の前記照明コントローラの不具合有無を確認させる確認通知を出力する制御部と、
前記制御部から出力された前記確認通知を表示する表示部と
を備え、
前記制御部は、前記照明器具と前記照明コントローラとのペアリングを実行させる前に、複数の前記照明器具および１以上の前記照明コントローラの電源に関する確認通知を出力し、前記電源に関する確認通知を出力した後であって前記ペアリングを実行する前に、複数の前記照明器具および１以上の前記照明コントローラの通信に関する確認通知を出力する
端末装置。
【発明の詳細な説明】
【技術分野】
【０００１】
本発明は、照明器具と照明コントローラとを備える照明システム、および、照明器具と照明コントローラとのペアリングを行う端末装置に関する。
【背景技術】
【０００２】
従来、複数の照明器具と、複数の照明器具と通信する照明コントローラとを備える照明システムが知られている（例えば特許文献１参照）。
【先行技術文献】
【特許文献】
【０００３】
【特許文献１】特開２０１６−１０３３７２号公報
【発明の概要】
【発明が解決しようとする課題】
【０００４】
この種の照明システムでは、複数の照明器具および複数の照明コントローラが建物の造営材等に設置された後、照明器具と照明コントローラとのペアリング作業が１台ずつ行われる。しかしながら、このペアリング作業において照明器具と照明コントローラとのペアリングが成立しない事態が発生すると、その原因究明に時間がかかり、ペアリング作業が停滞するという問題がある。
【０００５】
そこで、本発明は、ペアリング作業における作業効率を向上することができる照明システム等を提供することを目的とする。
【課題を解決するための手段】
【０００６】
本発明の照明システムの一態様は、複数の照明器具と、前記複数の照明器具と通信する１以上の照明コントローラと、前記複数の照明器具および前記１以上の照明コントローラの不具合有無を確認させる確認通知を出力する制御部と、前記制御部から出力された前記確認通知を表示する表示部とを備え、前記制御部は、前記複数の照明器具と前記１以上の照明コントローラとのペアリングが行われる前に、前記複数の照明器具および前記１以上の照明コントローラの電源に関する確認通知を出力し、前記電源に関する確認通知を出力した後であって前記ペアリングが行われる前に、前記複数の照明器具および前記１以上の照明コントローラの通信に関する確認通知を出力する。
【０００７】
本発明の端末装置の一態様は、照明器具と照明コントローラとのペアリングを実行させる端末装置であって、複数の前記照明器具および１以上の前記照明コントローラの不具合有無を確認させる確認通知を出力する制御部と、前記制御部から出力された前記確認通知を表示する表示部とを備え、前記制御部は、前記照明器具と前記照明コントローラとのペアリングを実行させる前に、複数の前記照明器具および１以上の前記照明コントローラの電源に関する確認通知を出力し、前記電源に関する確認通知を出力した後であって前記ペアリングを実行する前に、複数の前記照明器具および１以上の前記照明コントローラの通信に関する確認通知を出力する。
【発明の効果】
【０００８】
本発明の照明システム等は、ペアリング作業における作業効率を向上することができる。
【図面の簡単な説明】
【０００９】
【図１】照明システムにおいて、照明器具を１台ずつペアリングする様子を示す図であり、（ａ）は比較例の照明システム、（ｂ）は実施の形態１の照明システムを示す図である。
【図２】実施の形態１に係る照明システムであって、照明システムが備える照明器具、照明コントローラおよび端末装置を示す模式図である。
【図３】実施の形態１に係る照明システムの構成を示すブロック図である。
【図４】実施の形態１に係る照明システムのペアリング方法であって、電源に関する確認工程、照明コントローラの通信に関する確認工程、照明器具の通信に関する確認工程およびペアリング工程を示す全体フローである。
【図５Ａ】実施の形態１に係る照明システムのペアリング方法のうち、電源に関する確認工程を示すフローチャートである。
【図５Ｂ】図５Ａの確認工程における、端末装置の表示部および入力部を示す図である。
【図５Ｃ】図５Ａの確認工程において、非通電状態の照明コントローラをペアリングの対象から外す様子を示す図である。
【図５Ｄ】図５Ａの確認工程において、非通電状態の照明器具をペアリングの対象から外す様子を示す図である。
【図６Ａ】実施の形態１に係る照明システムのペアリング方法のうち、照明コントローラの通信に関する確認工程を示すフローチャートである。
【図６Ｂ】図６Ａの確認工程における、端末装置の表示部および入力部を示す図である。
【図７Ａ】実施の形態１に係る照明システムのペアリング方法のうち、照明器具の通信に関する確認工程を示すフローチャートである。
【図７Ｂ】図７Ａの確認工程における、端末装置の表示部および入力部を示す図である。
【図８Ａ】実施の形態２に係る照明システムのペアリング方法を示す全体フローである。
【図８Ｂ】実施の形態２に係る照明システムのペアリング方法における、照明器具の診断工程を示すフローチャートである。
【発明を実施するための形態】
【００１０】
（実施の形態１）
［１−１．照明システムの概要］
先に、本実施の形態に係る照明システムの概要について説明する。図１は、照明システムにおいて、照明器具を１台ずつペアリングする様子を示す図であり、（ａ）は比較例の照明システム、（ｂ）は実施の形態１の照明システムを示す図である。
【００１１】
比較例および実施の形態１の照明システムは、複数の照明器具１、２、３、４と、複数の照明器具１〜４と通信する照明コントローラ（図示省略）とを備えている。これらの照明システムでは、照明コントローラおよび各照明器具１〜４を建物の造営材等に設置した後、設置した作業者によって照明コントローラと各照明器具１〜４とのペアリング作業が行われる。ペアリング作業とは、照明コントローラと各照明器具１〜４とで、通信アドレスを交換し、お互いに通信相手を特定できる状態にする作業である。
【００１２】
比較例の照明システムでは、例えば照明器具１〜４のうち照明器具３が故障している場合であっても、作業者はその情報を知らないため、図１の（ａ）に示すように、故障している照明器具３に対してペアリングを試みるという無駄な作業が発生する。また、照明器具３に対してペアリングできない原因を究明するため、ペアリング作業が停滞するという問題がある。
【００１３】
本実施の形態の照明システムは、照明システムのペアリング作業を行う前に、照明器具および照明コントローラの不具合有無を確認させるための確認通知を行う。そのため、ペアリングできない照明器具または照明コントローラが存在する場合は、図１の（ｂ）に示すように、事前にその照明器具または照明コントローラをペアリングの対象から除外してペアリング作業を行うことができる。これにより、照明システムにおけるペアリング作業を効率的に行うことができる。
【００１４】
以下、実施の形態に係る照明システム等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１５】
なお、各図は、模式図であり、必ずしも厳密に図示されたものではない。また、各図において、実質的に同一の構成に対しては同一の符号を付しており、重複する説明は省略または簡略化する。
【００１６】
［１−２．照明システムの構成］
図２は、実施の形態１に係る照明システム１００であって、照明システム１００が備える照明器具、照明コントローラおよび端末装置を示す模式図である。図３は、照明システム１００の構成を示すブロック図である。
【００１７】
まず、照明システム１００の全体構成について説明する。
【００１８】
照明システム１００は、複数の照明器具１、２、３、４、５、６、７、８、９と、複数の照明コントローラ２１、２２、２３と、端末装置３０とを備える。なお以下において、照明器具１〜９の全部または一部を指して照明器具１０と呼ぶ場合がある。照明コントローラ２１〜２３の全部または一部を指して照明コントローラ２０と呼ぶ場合が有る。
【００１９】
図２に示すように、照明器具１０および照明コントローラ２０には、それぞれに電力を供給するための電源線Ｌ１が接続されている。
【００２０】
複数の照明器具１〜７のそれぞれと照明コントローラ２２とは、無線ｒ１によって通信可能となっており、複数の照明器具８、９のそれぞれと照明コントローラ２３とは、無線ｒ１によって通信可能となっている。無線ｒ１による通信方式としては、９２０ＭＨｚ帯または２．４ＧＨｚ帯の周波数を利用した特定小電力無線、Zigbee（登録商標）、Bluetooth（登録商標）、または、ＷｉＦｉ（登録商標）などの方式が用いられる。
【００２１】
照明コントローラ２１は、照明コントローラ２２、２３の上位コントローラである。照明コントローラ２１は、照明コントローラ２２、２３のそれぞれと有線（通信経路Ｌ２）で接続されている。照明コントローラ２１と端末装置３０とは、ＷｉＦｉなどの無線ｒ２によって通信可能となっている。端末装置３０は、ＷｉＦｉなどの無線ｒ３によって各照明器具１〜９と通信可能となっている。
【００２２】
なお、照明器具１０と照明コントローラ２２、２３とは、有線で通信可能であってもよい。上位の照明コントローラ２１と下位の照明コントローラ２２、２３とは、無線で通信可能であってもよい。
【００２３】
次に、照明システム１００の各構成について説明する。
【００２４】
照明器具１〜９は、例えば、ＬＥＤライトである。照明器具１〜９は、建物の造営材（天井など）に１００台以上設置されることがある。以下、照明器具１〜９のうち照明器具１を代表例に挙げて説明する。
【００２５】
照明器具１は、外部の照明コントローラ２２と通信する通信部１０ａと、点灯部１０ｄと、通信部１０ａおよび点灯部１０ｄに接続された制御部１０ｃとを備えている。
【００２６】
通信部１０ａは、アンテナおよび無線モジュールなどにより構成されている。通信部１０ａは、前述したように、無線ｒ１にて照明コントローラ２２と通信する。
【００２７】
点灯部１０ｄは、例えば、白色光、赤色光、緑色光または青色光を発する複数の発光ダイオードなどの光源を含む。
【００２８】
制御部１０ｃは、ＣＰＵ（central  processing  unit）、ＲＡＭ（Random  Access  Memory）およびＲＯＭ（read  only  memory）などにより構成される。制御部１０ｃには、ＭＡＣアドレス（Media  Access  Control  address）など、照明器具１自身の識別子が記憶されている。制御部１０ｃは、照明コントローラ２２または端末装置３０から送信された指示に基づいて点灯部１０ｄの点灯状態（点灯、消灯、点滅、調光および調色）を制御する。
【００２９】
照明コントローラ２１、２２のそれぞれは、例えば、無線コントローラまたは無線アダプタである。各照明コントローラ２１、２２は、通信部２０ａと、パイロットランプ等のランプ２０ｄと、通信部２０ａおよびランプ２０ｄに接続された制御部２０ｃとを備えている。
【００３０】
下位の照明コントローラ２２の通信部２０ａは、アンテナおよび無線モジュールなどにより構成されている。この通信部２０ａは無線ｒ１によって照明器具１と通信し、また、有線によって上位の照明コントローラ２１と通信する。照明コントローラ２２の制御部２０ｃは、ＣＰＵ、ＲＡＭおよびＲＯＭなどにより構成される。この制御部２０ｃには、ＭＡＣアドレスなど、照明コントローラ２２自身の識別子が記憶されている。この制御部２０ｃは、上位の照明コントローラ２１から送信された指示に基づいて、ランプ２０ｄの点灯状態を制御する。
【００３１】
上位の照明コントローラ２１の通信部２０ａは、アンテナおよび無線モジュールなどにより構成されている。この通信部２０ａは、無線ｒ２によって端末装置３０と通信し、また、有線によって下位の照明コントローラ２２と通信する。照明コントローラ２１の制御部２０ｃは、ＣＰＵ、ＲＡＭおよびＲＯＭなどにより構成される。この制御部２０ｃには、ＭＡＣアドレスなど、照明コントローラ２１自身の識別子が記憶されている。照明コントローラ２１の制御部２０ｃは、例えば端末装置３０から送信された指示に基づいて、ランプ２０ｄの点灯状態を制御する。
【００３２】
端末装置３０は、例えば、携帯型のタブレット端末である。端末装置３０は、照明コントローラ２２と照明器具１とのペアリングを行うための設定器である。
【００３３】
端末装置３０は、通信部３０ａと、入力部３０ｂと、表示部３０ｄと、通信部３０ａ、入力部３０ｂおよび表示部３０ｄに接続された制御部３０ｃとを備えている。
【００３４】
通信部３０ａは、アンテナおよび無線モジュールなどにより構成されている。通信部３０ａは、無線ｒ２によって照明コントローラ２１と通信し、無線ｒ３によって照明器具１と通信する。
【００３５】
表示部３０ｄは、制御部３０ｃから出力された確認通知を表示する部分である。確認通知とは、照明器具１０および照明コントローラ２０の不具合有無を作業者等に確認させるための通知である。入力部３０ｂは、上記確認通知に対する確認結果を受け付ける部分である。端末装置３０は、入力部３０ｂおよび表示部３０ｄの両方の機能を有するタッチパネルを有している。
【００３６】
制御部３０ｃは、ＣＰＵ、ＲＡＭおよびＲＯＭなどにより構成されている。制御部３０ｃには、建物内における照明器具１０および照明コントローラ２０のレイアウト情報が保存されている。また、制御部３０ｃには、ペアリングさせるべき照明器具１０と照明コントローラ２０との組み合わせに関する情報が保存されている。
【００３７】
本実施の形態において、制御部３０ｃは、照明器具１０と照明コントローラ２０とのペアリングが行われる前に、照明器具１０および照明コントローラ２０の電源に関する確認通知を出力する。また、電源に関する確認通知を出力した後であって上記ペアリングが行われる前に、照明器具１０および照明コントローラ２０の通信に関する確認通知を出力する。表示部３０ｄは、制御部３０ｃから出力された上記確認通知のそれぞれを表示する。
【００３８】
このように、本実施の形態の照明システム１００では、ペアリング作業が行われる前に、照明器具１０および照明コントローラ２０の不具合有無を確認する構成となっている。そのため、照明器具１０または照明コントローラ２０に不具合があった場合に、不具合を有する照明器具１０または照明コントローラ２０をペアリングの対象から外すことができる。これにより、ペアリング作業の作業効率を向上することができる。
【００３９】
［１−３．照明システムのペアリング方法］
次に、照明システム１００のペアリング方法について説明する。図４は、照明システム１００のペアリング方法を示す全体フローである。
【００４０】
照明システム１００のペアリング方法は、電源に関する確認工程Ｓ１０と、照明コントローラ２０の通信に関する確認工程Ｓ２０と、照明器具１０の通信に関する確認工程Ｓ３０と、ペアリング工程Ｓ４０とを含む。
【００４１】
この照明システム１００のペアリング方法では、まず、電源に関する確認工程Ｓ１０で、機器（照明コントローラ２０および照明器具１０を指す。以下同じ）の電源に関する不具合有無を確認し、不具合がある場合は不具合を有する機器をペアリングの対象から外す。次に、通信に関する確認工程Ｓ２０およびＳ３０で、機器の通信に関する不具合有無を確認し、不具合がある場合は不具合を有する機器をペアリングの対象から外す。そして、ペアリング工程Ｓ４０では、ペアリング対象から外されていない照明コントローラ２０と照明器具１０とのペアリングを行う。以下、各工程Ｓ１０〜Ｓ４０について説明する。
【００４２】
まず、照明システム１００の電源に関する確認を行う。図５Ａは、電源に関する確認工程Ｓ１０を示すフローチャートである。図５Ｂは、確認工程Ｓ１０における、端末装置３０の表示部３０ｄおよび入力部３０ｂを示す図である。
【００４３】
初めに、全ての照明器具１０および照明コントローラ２０の電源をＯＮする（Ｓ１１）。照明システム１００の電源に関して異常がなければ、この電源ＯＮによって、全ての照明器具１０の点灯部１０ｄが１００％点灯し、また、全ての照明コントローラ２０のランプ２０ｄが点灯する。
【００４４】
また電源ＯＮによって、端末装置３０の制御部３０ｃは、照明コントローラ２０および照明器具１０の電源に関する確認通知を出力する（Ｓ１２）。表示部３０ｄは、図５Ｂの（ａ）に示すように、制御部３０ｃから出力された確認通知の内容「全ての照明コントローラ、照明器具が点灯しているか確認してください」を表示する。また、制御部３０ｃは、表示部３０ｄ上に、確認通知に対する作業者の確認結果を受け付ける入力部３０ｂを表示させる。これにより表示部３０ｄは、入力部３０ｂである２つのアイコン「点灯している」、「点灯していない」を表示する。
【００４５】
作業者は目視によって、設置されている全ての機器が点灯しているか否かを確認し、入力部３０ｂにて確認結果の入力を行う。
【００４６】
制御部３０ｃは、入力部３０ｂを介して上記確認結果を受け付け（Ｓ１３）、非通電状態の機器の有無を判断する（Ｓ１４）。具体的には、２つのアイコンのうち「点灯している」が入力されると、全ての機器が通電状態であると判断し（Ｓ１４のＮ）、電源に関する確認工程Ｓ１０を終える（Ｓ１９）。一方「点灯していない」が入力されると、照明システム１００中に点灯していない機器が存在し、その機器が非通電状態であると判断する（Ｓ１４のＹ）。
【００４７】
制御部３０ｃは、上記のように「点灯していない」という入力を受け、非通電状態の機器が存在する確認結果を取得した場合に、非通電状態の機器の電源線Ｌ１の配線経路を確認させる確認通知を出力する（Ｓ１５）。なお、電源線Ｌ１の配線経路の確認とは、例えば、非通電状態の照明コントローラ２０または照明器具１０に電源線Ｌ１が接続されているか、電源線Ｌ１に断線がないかを確認することである。表示部３０ｄは、図５Ｂの（ｂ）に示すように、制御部３０ｃから出力された確認通知の内容「電源線の配線経路を確認してください」を表示する。また、制御部３０ｃは、表示部３０ｄ上に、確認通知に対する確認結果を受け付ける入力部３０ｂを表示させる。これにより表示部３０ｄは、入力部３０ｂである２つのアイコン「電源復旧済」、「復旧しない」を表示する。
【００４８】
作業者は、点灯していない機器の電源線Ｌ１の配線経路を確認し、電源線Ｌ１が外れていたり、断線していたりすればその修理を行う。そして修理した機器を点灯させ、復旧できたか否かを確認し、再び入力部３０ｂにて確認結果の入力を行う。
【００４９】
制御部３０ｃは、上記確認結果を受け付け（Ｓ１６）、非通電の機器がまだ存在するかを判断する（Ｓ１７）。具体的には、２つのアイコンのうち「電源復旧済」が入力されると、非通電状態の機器は存在しないと判断し（Ｓ１７のＮ）、電源に関する確認工程Ｓ１０を終える（Ｓ１９）。一方「復旧しない」が入力されると、電源線Ｌ１の配線経路に異常がないにもかかわらず機器が点灯しないので、その機器自体に不具合があると判断する（Ｓ１７のＹ）。
【００５０】
制御部３０ｃは、上記のように「復旧しない」という入力を受けた場合、すなわち非通電状態である機器の電源線Ｌ１の配線経路に異常がない確認結果を取得した場合、その機器をペアリングの対象から外すか否かを確認する確認通知を出力する。表示部３０ｄは、図５Ｂの（ｃ）に示すように、制御部３０ｃから出力された確認通知の内容「復旧しない機器をペアリングの対象から外しますか」を表示する。また、制御部３０ｃは、表示部３０ｄ上に、確認通知に対する確認結果を受け付ける入力部３０ｂを表示させる。これにより表示部３０ｄは、入力部３０ｂである２つのアイコン「ペアリングの対象から外す」、「対象外とせずに中断」を表示する。
【００５１】
作業者は、２つのアイコンを確認し、入力部３０ｂにて確認結果の入力を行う。「対象外とせずに中断」が入力された場合（Ｓ１８のＮ）は、ペアリング作業を中断して、不具合を有する機器を完全に復旧させる。
【００５２】
一方、制御部３０ｃは、上記確認通知に対する確認結果として、「ペアリングの対象から外す」という確認結果を取得した場合に（Ｓ１８のＹ）、その機器をペアリングの対象から外して、確認工程Ｓ１０を終える（Ｓ１９）。制御部３０ｃは、ペアリングの対象から外された機器を、照明システム１００のレイアウト情報として記憶する。
【００５３】
図５Ｃは、非通電状態の照明コントローラをペアリングの対象から外す様子を示す図である。図５Ｃの（ａ）に示すように、例えば、照明コントローラ２３をペアリングの対象から外す場合、表示部３０ｄ上の入力画面において、照明コントローラ２３のマークに触れる。これにより、図５Ｃの（ｂ）に示すように、照明コントローラ２３をペアリングの対象から外すことができる。その際、照明コントローラ２３とペアリングする予定であった照明器具８、９もペアリングの対象から外される。
【００５４】
図５Ｄは、非通電状態の照明器具をペアリングの対象から外す様子を示す図である。図５Ｄの（ａ）に示すように、例えば、照明器具６をペアリングの対象から外す場合、表示部３０ｄ上の入力画面において照明器具６のマークに触れる。これにより、図５Ｄの（ｂ）に示すように、照明器具６をペアリングの対象から外すことができる。
【００５５】
このように、電源に関する確認工程Ｓ１０によって、電源線Ｌ１の配線経路に異常がないにもかかわらず非通電状態となっている機器、すなわち電源自体に不具合を有する機器をペアリングの対象から除外することができる。
【００５６】
次に、照明コントローラ２０の通信に関する確認を行う。図６Ａは、照明コントローラ２０の通信に関する確認工程Ｓ２０を示すフローチャートである。図６Ｂは、確認工程Ｓ２０における、端末装置３０の表示部３０ｄおよび入力部３０ｂを示す図である。
【００５７】
まず、端末装置３０と照明コントローラ２０との通信可否（第１の通信可否）を確認するため、端末装置３０から照明コントローラ２０に点滅指示信号を送信する（Ｓ２１）。具体的には、端末装置３０から上位の照明コントローラ２１に対して点滅指示信号を送信する。また、端末装置３０から照明コントローラ２１を介して下位の照明コントローラ２２、２３に対して点滅指示信号を送信する。照明コントローラ２０の通信系統に異常がなければ、この点滅指示信号の送信によって、全ての照明コントローラ２０のランプ２０ｄが点滅する。
【００５８】
また、端末装置３０の制御部３０ｃは、照明コントローラ２０の通信に関する確認通知を出力する（Ｓ２２）。表示部３０ｄは、図６Ｂの（ａ）に示すように、制御部３０ｃから出力された確認通知の内容「全ての照明コントローラが点滅しているか確認してください」を表示する。また、制御部３０ｃは、表示部３０ｄ上に、確認通知に対する作業者の確認結果を受け付ける入力部３０ｂを表示させる。これにより表示部３０ｄは、入力部３０ｂである２つのアイコン「点滅している」、「点滅していない」を表示する。
【００５９】
作業者は目視によって、設置されている全ての照明コントローラ２０が点滅しているか否かを確認し、入力部３０ｂにて確認結果の入力を行う。
【００６０】
制御部３０ｃは、入力部３０ｂを介して上記確認結果を受け付け（Ｓ２３）、不通信である照明コントローラ２０の有無を判断する（Ｓ２４）。具体的には、２つのアイコンのうち「点滅している」が入力されると、全ての照明コントローラ２０が通信可能であると判断し（Ｓ２４のＮ）、照明コントローラ２０の通信に関する確認工程Ｓ２０を終える（Ｓ２９）。一方「点滅していない」が入力されると、点滅していない照明コントローラ２０が存在し、その照明コントローラ２０が不通信であると判断する（Ｓ２４のＹ）。
【００６１】
制御部３０ｃは、上記のように「点滅していない」という入力を受け、不通信である照明コントローラ２０が存在する確認結果を取得した場合（Ｓ２４のＹ）、不通信である照明コントローラ２０の通信経路Ｌ２を確認させる確認通知を出力する（Ｓ２５）。なお、通信経路Ｌ２の確認とは、例えば、照明コントローラ２２が不通信である場合に、下位の照明コントローラ２２と上位の照明コントローラ２１との通信線が接続されているか、通信線に断線がないかを確認することである。表示部３０ｄは、図６Ｂの（ｂ）に示すように、制御部３０ｃから出力された確認通知の内容「照明コントローラの通信経路を確認してください」を表示する。また、制御部３０ｃは、表示部３０ｄ上に、確認通知に対する「確認結果」を受け付ける入力部３０ｂを表示させる。これにより表示部３０ｄは、入力部３０ｂである２つのアイコン「通信復旧済」、「復旧しない」を表示する。
【００６２】
作業者は、点滅していない照明コントローラ２０の通信経路Ｌ２を確認し、通信線が外れていたり、断線していたりすればその修理を行う。そして修理した照明コントローラ２０を点滅させて、復旧できたか否かを確認し、再び入力部３０ｂにて確認結果の入力を行う。
【００６３】
制御部３０ｃは、上記確認結果を受け付け（Ｓ２６）、不通信の照明コントローラ２０がまだ存在するかを判断する（Ｓ２７）。具体的には、２つのアイコンのうち「通信復旧済」が入力されると、不通信である照明コントローラ２０は存在しないと判断し（Ｓ２７のＮ）、照明コントローラ２０の通信に関する確認工程Ｓ２０を終える（Ｓ２９）。一方「復旧しない」が入力されると、通信経路Ｌ２に異常がないにもかかわらず照明コントローラ２０が点滅しないので、その照明コントローラ２０の通信部２０ａが不具合を有していると判断する（Ｓ２７のＹ）。
【００６４】
制御部３０ｃは、上記のように「復旧しない」という入力を受け、不通信である照明コントローラ２０の通信経路Ｌ２に異常がない確認結果を取得した場合、その照明コントローラ２０をペアリングの対象から外すか否かを確認する確認通知を出力する。表示部３０ｄは、図６Ｂの（ｃ）に示すように、制御部３０ｃから出力された確認通知の内容「復旧しない照明コントローラをペアリングの対象から外しますか」を表示する。また、制御部３０ｃは、表示部３０ｄ上に、確認通知に対する確認結果を受け付ける入力部３０ｂを表示させる。これにより表示部３０ｄでは、入力部３０ｂである２つのアイコン「ペアリングの対象から外す」、「対象外とせずに中断」を表示する。
【００６５】
作業者は、２つのアイコンを確認し、入力部３０ｂにて確認結果の入力を行う。「対象外とせずに中断」が入力された場合（Ｓ２８のＮ）は、ペアリング作業を中断して、不具合を有する照明コントローラ２０を完全に復旧させる。
【００６６】
一方、制御部３０ｃは、上記確認通知に対する確認結果として、「ペアリングの対象から外す」という確認結果を取得した場合に（Ｓ２８のＹ）、その照明コントローラ２０をペアリングの対象から外して確認工程Ｓ３０を終える（Ｓ２９）。制御部３０ｃは、ペアリングの対象から外された照明コントローラ２０を、照明システム１００のレイアウト情報として記憶する。
【００６７】
このように、照明コントローラ２０の通信に関する確認工程Ｓ２０によって、通信経路Ｌ２に異常がないにもかかわらず不通信である照明コントローラ２０、すなわち通信に不具合を有する照明コントローラ２０をペアリングの対象から除外することができる。
【００６８】
次に、照明器具１０の通信に関する確認を行う。なお、照明コントローラ２０の通信に関しては、確認工程Ｓ２０にて不具合が取り除かれているので、確認工程Ｓ２０では主に照明器具１０の通信に関する確認が行われる。
【００６９】
図７Ａは、照明器具１０の通信に関する確認工程Ｓ３０を示すフローチャートである。図７Ｂは、確認工程Ｓ３０における、端末装置３０の表示部３０ｄおよび入力部３０ｂを示す図である。
【００７０】
まず、照明コントローラ２０と照明器具１０との通信可否（第２の通信可否）を確認するため、端末装置３０から照明コントローラ２１および照明コントローラ２２、２３を介して照明器具１０に点滅指示信号を送信する（Ｓ３１）。照明コントローラ２０と照明器具１０との通信に異常がなければ、この点滅指示信号の送信によって、全ての照明器具１０の点灯部１０ｄが点滅する。
【００７１】
端末装置３０の制御部３０ｃは、照明器具１０の通信に関する確認通知を出力する（Ｓ３２）。表示部３０ｄは、図７Ｂの（ａ）に示すように、制御部３０ｃから出力された確認通知の内容「全ての照明器具が点滅しているか確認してください」を表示する。また、制御部３０ｃは、表示部３０ｄ上に、確認通知に対する作業者の確認結果を受け付ける入力部３０ｂを表示させる。これにより表示部３０ｄは、入力部３０ｂである２つのアイコン「点滅している」、「点滅していない」を表示する。
【００７２】
作業者は目視によって、設置されている全ての照明器具１０が点滅しているか否かを確認し、入力部３０ｂにて確認結果の入力を行う。
【００７３】
制御部３０ｃは、入力部３０ｂを介して上記確認結果を受け付け（Ｓ３３）、不通信である照明器具１０の有無を判断する（Ｓ３４）。具体的には、２つのアイコンのうち「点滅している」が入力されると、全ての照明器具１０が通信可能であると判断し（Ｓ３４のＮ）、照明器具１０の通信に関する確認工程Ｓ３０を終える（Ｓ３９）。一方「点滅していない」が入力されると、点滅していない照明器具１０が存在し、その照明器具１０が不通信であると判断する（Ｓ３４のＹ）。
【００７４】
制御部３０ｃは、上記のように「点滅していない」という入力を受け、不通信である照明器具１０が存在する確認結果を取得した場合、その照明器具１０をペアリングの対象から外すか否かを確認する確認通知を出力する。表示部３０ｄは、図７Ｂの（ｂ）に示すように、制御部３０ｃから出力された確認通知の内容「点滅しない照明器具をペアリングの対象から外しますか」を表示する。また、制御部３０ｃは、表示部３０ｄ上に、確認通知に対する確認結果を受け付ける入力部３０ｂを表示させる。表示部３０ｄは、入力部３０ｂとして２つのアイコン「ペアリングの対象から外す」、「対象外とせずに中断」を表示する。
【００７５】
作業者は、２つのアイコンを確認し、入力部３０ｂにて確認結果の入力を行う。「対象外とせずに中断」が入力された場合（Ｓ３８のＮ）は、ペアリング作業を中断して、不具合を有する照明器具１０を完全に復旧させる。
【００７６】
一方、制御部３０ｃは、上記確認通知に対する確認結果として、「ペアリングの対象から外す」という確認結果を取得した場合に（Ｓ３８のＹ）、その照明器具１０をペアリングの対象から外して確認工程Ｓ３０を終える（Ｓ３９）。制御部３０ｃは、ペアリングの対象から外された照明器具１０を、照明システム１００のレイアウト情報として記憶する。
【００７７】
このように、照明器具１０の通信に関する確認工程Ｓ３０では、不通信である照明器具１０、すなわち不具合を有する照明器具１０をペアリングの対象から除外することができる。
【００７８】
次に、図４に示すように、照明器具１０と照明コントローラ２０とのペアリングを行う。
【００７９】
端末装置３０の制御部３０ｃは、第２の通信可否の確認通知に対する確認結果として、少なくとも１組の照明コントローラ２０と照明器具１０とが通信可能である確認結果を取得した場合に、当該少なくとも１組の照明コントローラ２０と照明器具１０とをペアリングさせる通知を出力する。具体的には、端末装置３０が、照明コントローラ２０を介して各照明器具１０のアドレスを取得し、照明器具１０のアドレスと照明コントローラ２０のアドレスとを関連付けて１台ずつペアリングを行う。その際、上記確認工程Ｓ１０〜Ｓ３０において、ペアリングの対象から外された照明器具１０および照明コントローラ２０は、ペアリングが実行されない。ペアリングが成立した照明器具１０の点灯部１０ｄおよび照明コントローラ２０のランプ２０ｄは、点滅状態から下限点灯（例えば３０％点灯）状態に変化する。上記ステップＳ１０〜Ｓ４０を経て、照明システム１００のペアリングが終了する。
【００８０】
［１−４．効果等］
本実施の形態に係る照明システム１００は、複数の照明器具１０と、複数の照明器具１０と通信する１以上の照明コントローラ２０と、複数の照明器具１０および１以上の照明コントローラ２０の不具合有無を確認させる確認通知を出力する制御部３０ｃと、制御部３０ｃから出力された確認通知を表示する表示部３０ｄとを備える。制御部３０ｃは、複数の照明器具１０と１以上の照明コントローラ２０とのペアリングが行われる前に、複数の照明器具１０および１以上の照明コントローラ２０の電源に関する確認通知を出力し、電源に関する確認通知を出力した後であってペアリングが行われる前に、複数の照明器具１０および１以上の照明コントローラ２０の通信に関する確認通知を出力する。
【００８１】
このように、制御部３０ｃが、電源および通信に関する確認通知を出力し、表示部３０ｄがそれらの確認通知を表示することで、作業者に照明器具１０および照明コントローラ２０の状態把握を促すことができる。これにより、照明器具１０および照明コントローラ２０の電源および通信の状態を把握することができ、照明システム１００におけるペアリング作業の作業効率を向上することができる。また、通信に関する確認よりも前に電源に関する確認を行うことで、後に行う通信に関する確認作業を効率化することができる。
【００８２】
照明システム１００は、さらに、電源に関する確認通知に対する確認結果、および、通信に関する確認通知に対する確認結果を受け付ける入力部３０ｂを備え、制御部３０ｃは、入力部３０ｂを介して、確認結果のそれぞれを取得してもよい。
【００８３】
これによれば、制御部３０ｃは、入力したそれぞれの確認結果に応じて、照明器具１０または照明コントローラ２０に関する次の確認通知を出力することができる。
【００８４】
また、制御部３０ｃは、電源に関する確認通知に対する確認結果として、複数の照明器具１０および１以上の照明コントローラ２０のうち非通電状態の照明器具１０または照明コントローラ２０が存在する確認結果を取得した場合に、非通電状態の照明器具１０または照明コントローラ２０の電源線Ｌ１の配線経路を確認させる確認通知を出力してもよい。
【００８５】
このように、制御部３０ｃが電源線Ｌ１の配線経路に関する確認通知を出力することで、作業者に電源線Ｌ１の状態把握を促すことができる。これにより、照明器具１０および照明コントローラ２０の電源線Ｌ１の状態を把握することができ、照明システム１００におけるペアリング作業の作業効率を向上することができる。
【００８６】
また、制御部３０ｃは、電源線Ｌ１の配線経路の確認通知に対する確認結果として、電源線Ｌ１の配線経路に異常がない確認結果を取得した場合に、非通電状態の照明器具１０または照明コントローラ２０を、ペアリングの対象から外すか否かを確認させる確認通知を出力してもよい。
【００８７】
このように、制御部３０ｃが、非通電状態の照明器具１０または照明コントローラ２０をペアリングの対象から外すか否かを確認することで、ペアリング作業における作業者の選択肢を増やすことができ、照明システム１００におけるペアリング作業の作業効率を向上することができる。
【００８８】
また、制御部３０ｃは、ペアリングの対象から外すか否かの確認通知に対する確認結果として、非通電状態の照明器具１０または照明コントローラ２０をペアリングの対象から外す確認結果を取得した場合に、当該照明器具１０または当該照明コントローラ２０をペアリングの対象から外してもよい。
【００８９】
このように、不具合を有する照明器具１０または照明コントローラ２０をペアリングの対象から外すことで、照明システム１００におけるペアリング作業の作業効率を向上することができる。
【００９０】
さらに、複数の照明器具１０および１以上の照明コントローラ２０のそれぞれと無線通信する端末装置３０を備え、端末装置３０は、制御部３０ｃ、表示部３０ｄおよび入力部３０ｂを備えていてもよい。
【００９１】
これによれば、端末装置３０にて、上記に示した制御出力、表示および入力を行うことができる。
【００９２】
また、制御部３０ｃは、電源に関する確認通知に対する確認結果として、１以上の照明コントローラ２０のうち通電状態の照明コントローラ２０が存在する確認結果を取得した場合に、通電状態の照明コントローラ２０と端末装置３０との第１の通信可否を確認させる確認通知を出力してもよい。
【００９３】
このように、制御部３０ｃが、照明コントローラ２０の通信可否に関する確認通知を出力することで、作業者に照明コントローラ２０の状態把握を促すことができる。これにより、照明コントローラ２０の通信の状態を把握することができ、照明システム１００におけるペアリング作業の作業効率を向上することができる。
【００９４】
また、制御部３０ｃは、第１の通信可否の確認通知に対する確認結果として、不通信である照明コントローラ２０が存在する確認結果を取得した場合に、不通信である照明コントローラ２０の通信経路を確認させる確認通知を出力してもよい。
【００９５】
このように、制御部３０ｃが、照明コントローラ２０の通信経路Ｌ２に関する確認通知を出力することで、作業者に通信経路Ｌ２の状態把握を促すことができる。これにより、照明コントローラ２０の通信経路Ｌ２の状態を把握することができ、照明システム１００におけるペアリング作業の作業効率を向上することができる。
【００９６】
また、制御部３０ｃは、通信経路Ｌ２の確認通知に対する確認結果として、不通信である照明コントローラ２０の通信経路Ｌ２に異常がない確認結果を取得した場合に、不通信である照明コントローラ２０を、ペアリングの対象から外すか否かを確認させる確認通知を出力してもよい。
【００９７】
このように、制御部３０ｃが、不通信の照明コントローラ２０をペアリングの対象から外すか否かを確認することで、ペアリング作業における作業者の選択肢を増やすことができ、照明システム１００におけるペアリング作業の作業効率を向上することができる。
【００９８】
また、制御部３０ｃは、不通信である照明コントローラ２０をペアリングの対象から外すか否の確認通知に対する確認結果として、当該照明コントローラ２０をペアリングの対象から外す確認結果を取得した場合に、当該照明コントローラ２０をペアリングの対象から外してもよい。
【００９９】
このように、通信に不具合を有する照明コントローラ２０をペアリングの対象から外すことで、照明システム１００におけるペアリング作業の作業効率を向上することができる。
【０１００】
また、制御部３０ｃは、第１の通信可否の確認通知に対する確認結果として、端末装置３０と少なくとも１つの照明コントローラ２０とが通信可能である確認結果を取得した場合に、少なくとも１つの照明コントローラ２０と複数の照明器具１０との第２の通信可否を確認させる確認通知を出力してもよい。
【０１０１】
このように、制御部３０ｃが、照明コントローラ２０と照明器具１０との通信可否に関する確認通知を出力することで、作業者に照明器具１０の状態把握を促すことができる。これにより、照明器具１０の通信の状態を把握することができ、照明システム１００におけるペアリング作業の作業効率を向上することができる。
【０１０２】
また、制御部３０ｃは、第２の通信可否の確認通知に対する確認結果として、複数の照明器具１０のうち不通信である照明器具１０が存在する確認結果を取得した場合に、不通信である照明器具１０をペアリングの対象から外すか否かを確認させる確認通知を出力してもよい。
【０１０３】
このように、制御部３０ｃが、不通信の照明器具１０をペアリングの対象から外すか否かを確認することで、ペアリング作業における作業者の選択肢を増やすことができ、照明システム１００におけるペアリング作業の作業効率を向上することができる。
【０１０４】
また、制御部３０ｃは、不通信である照明器具１０をペアリングの対象から外すか否かの確認通知に対する確認結果として、当該照明器具１０をペアリングの対象から外す確認結果を取得した場合に、当該照明器具１０をペアリングの対象から外してもよい。
【０１０５】
このように、通信に不具合を有する照明器具１０をペアリングの対象から外すことで、照明システム１００におけるペアリング作業の作業効率を向上することができる。
【０１０６】
制御部３０ｃは、第２の通信可否の確認通知に対する確認結果として、照明コントローラ２０および照明器具１０を１組とする少なくとも１組の照明コントローラ２０および照明器具１０が通信可能である確認結果を取得した場合に、当該少なくとも１組の照明コントローラ２０および照明器具１０をペアリングさせる通知を出力してもよい。
【０１０７】
これによれば、不具合を有する照明器具１０および照明コントローラ２０をペアリングの対象から外した状態でペアリングすることができるので、照明システム１００におけるペアリング作業の作業効率を向上することができる。
【０１０８】
本実施の形態に係る端末装置３０は、照明器具１０と照明コントローラ２０とのペアリングを実行させる端末装置３０であって、複数の照明器具１０および１以上の照明コントローラ２０の不具合有無を確認させる確認通知を出力する制御部３０ｃと、制御部３０ｃから出力された確認通知を表示する表示部３０ｄとを備える。制御部３０ｃは、照明器具１０と照明コントローラ２０とのペアリングを実行させる前に、複数の照明器具１０および１以上の照明コントローラ２０の電源に関する確認通知を出力し、電源に関する確認通知を出力した後であってペアリングを実行する前に、複数の照明器具１０および１以上の照明コントローラ２０の通信に関する確認通知を出力する。
【０１０９】
このように、端末装置３０の制御部３０ｃが、電源および通信に関する確認通知を出力し、表示部３０ｄがそれらの確認通知を表示することで、作業者に照明器具１０および照明コントローラ２０の状態把握を促すことができる。これにより、照明器具１０および照明コントローラ２０の電源および通信の状態を把握することができ、照明器具１０と照明コントローラ２０とのペアリング作業の作業効率を向上することができる。
【０１１０】
（実施の形態２）
実施の形態２は、実施の形態１の各工程の後に照明器具１０の診断を行い、照明器具１０に関する不具合を解消する形態である。
【０１１１】
図８Ａは、実施の形態２に係る照明システム１００のペアリング方法を示す全体フローである。図８Ｂは、実施の形態２に係る照明システム１００のペアリング方法における、照明器具１０の診断工程Ｓ５０を示すフローチャートである。
【０１１２】
図８Ａに示すように、照明器具１０の診断工程Ｓ５０は、実施の形態１のペアリング工程Ｓ４０を終えた後に実行される。
【０１１３】
図８Ｂに示すように、制御部３０ｃは、ペアリングの対象外となった照明器具１０と端末装置３０との通信可否（第３の通信可否）を確認させる確認通知を出力する（Ｓ５１）。
【０１１４】
具体的には、実施の形態１にてペアリングの対象外となった照明器具１０に対して、端末装置３０から点灯指示信号を送信する。この点灯指示信号は、ペアリングの対象外となった照明器具１０の近くに端末装置３０を移動させ、無線ｒ３を用いてブロードキャストで送信される。なお、実施の形態１にてペアリングが成立している照明器具１０は、この点灯指示信号に従わないように設定されている。
【０１１５】
制御部３０ｃは、第３の通信可否の確認通知に対する確認結果を受け付ける（Ｓ５２）。そして、端末装置３０とペアリングの対象から外された照明器具１０とが通信可能であるという確認結果を取得した場合に（Ｓ５３のＹ）、当該照明器具１０と照明コントローラ２０との通信経路を確認させる確認通知を出力する（Ｓ５４）。照明器具１０と照明コントローラ２０との通信経路の確認とは、例えば、照明器具６がペアリングの対象から外された場合に、照明器具６と照明コントローラ２２との距離が遠すぎないか、または通信を妨げる障害物が間にないかを確認することである。
【０１１６】
作業者は、上記確認を行った後、必要に応じて通信経路の確保を行う（Ｓ５５）。例えば、照明器具６と照明コントローラ２２との間に障害物がある場合は、その障害物を取り除く。また、照明器具６と照明コントローラ２２との距離が遠すぎる場合は、照明器具６と照明コントローラ２２との間に中継器となる他の無線コントローラを挿入する。これらの対策を施すことで、照明器具６と照明コントローラ２２との通信に関する不具合を解消することがきる。
【０１１７】
また、制御部３０ｃは、第３の通信可否の確認通知に対する確認結果として、端末装置３０とペアリングの対象から外された照明器具１０とが通信不可である確認結果を取得した場合に（Ｓ５３のＮ）、当該照明器具１０を修理または交換させる通知を出力する（Ｓ５６）。作業者は、ペアリングの対象から外された照明器具１０を修理または交換することで、照明器具１０と照明コントローラとの通信に関する不具合を解消することができる。
【０１１８】
実施の形態２に係る照明システム１００では、制御部３０ｃは、不通信である照明器具１０をペアリングの対象から外すか否かの確認通知の確認結果として、当該照明器具１０をペアリングの対象から外す確認結果を取得した場合に、当該照明器具１０と端末装置３０との第３の通信可否を確認させる確認通知を出力する。
【０１１９】
このように、ペアリングの対象から外された照明器具１０と端末装置３０との通信可否の確認を通知することで、照明器具１０の故障診断が可能となる。
【０１２０】
また、制御部３０ｃは、第３の通信可否の確認通知に対する確認結果として、当該照明器具１０と端末装置３０とが通信可能である確認結果を取得した場合に、当該照明器具１０と照明コントローラ２０との通信経路を確認させる確認通知を出力する。
【０１２１】
このように、照明器具１０と照明コントローラ２０との通信経路を確認することで、通信不可となっている原因への対策を講じることが可能となり、照明器具１０と照明コントローラ２０との通信に関する不具合を解消することがきる。
【０１２２】
また、制御部３０ｃは、第３の通信可否の確認通知に対する確認結果として、当該照明器具１０と端末装置３０とが通信不可である確認結果を取得した場合に、当該照明器具１０を修理または交換させる通知を出力する。
【０１２３】
このように、ペアリングの対象から外された照明器具１０を修理または交換することで、照明器具１０と照明コントローラとの通信に関する不具合を解消することができる。
【０１２４】
（その他の形態）
以上、照明システム１００について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１２５】
実施の形態１の図５Ｃでは、表示部３０ｄに表示された照明器具１０のマークを見ながら、ペアリングの対象から外すべき照明器具を選択しているが、それに限られない。例えば、表示部３０ｄに照明器具１０のリスト表を表示し、そのリスト表を用いて照明器具を選択してもよい。
【０１２６】
実施の形態１では、照明コントローラ２０の通信に関する確認工程Ｓ２０と照明器具１０の通信に関する確認工程Ｓ３０とで、照明コントローラ２０および照明器具１０を別々の場面で点滅させているが、それに限られず、これらの機器を一斉に点滅させてもよい。また、照明器具１０および照明コントローラ２０をエリアごとに分け、エリアごとに通信確認を行ったり、ペアリングを行ったりしてもよい。また、照明器具１０と照明コントローラ２０との点灯状態（点灯、消灯、点滅、調光または調色）が異なるように点灯制御してもよい。
【０１２７】
実施の形態１では、照明コントローラ２１、２２、２３のそれぞれが互いに有線で接続されている例を示したが、それに限られず、互いに無線で接続されていてもよい。その場合であっても、通信に関する確認工程Ｓ２０を同様に行うことができる。
【０１２８】
実施の形態１のペアリング工程では、無線ｒ３を用いて照明器具１０と照明コントローラ２０との関連付けを行っているがそれに限られない。例えば、端末装置３０および各照明器具１０が赤外線通信する機能を有している場合は、赤外線通信を利用して１台ずつペアリングを行ってもよい。
【符号の説明】
【０１２９】
１、２、３、４、５、６、７、８、９、１０  照明器具
２０、２１、２２、２３  照明コントローラ
３０    端末装置
３０ｂ  入力部
３０ｃ  制御部
３０ｄ  表示部
１００  照明システム
Ｌ１    電源線
Ｌ２    通信経路
【図１】
2019040776.tif 000003
【図２】
2019040776.tif 000004
【図３】
2019040776.tif 000005
【図４】
2019040776.tif 000006
【図５Ａ】
2019040776.tif 000007
【図５Ｂ】
2019040776.tif 000008
【図５Ｃ】
2019040776.tif 000009
【図５Ｄ】
2019040776.tif 000010
【図６Ａ】
2019040776.tif 000011
【図６Ｂ】
2019040776.tif 000012
【図７Ａ】
2019040776.tif 000013
【図７Ｂ】
2019040776.tif 000014
【図８Ａ】
2019040776.tif 000015
【図８Ｂ】
2019040776.tif 000016